(57)【特許請求の範囲】
【請求項１】
マイクロフォンと、このマイクロフォンに接続された補聴処理部と、この補聴処理部に接続されたレシーバと、前記補聴処理部に接続されると共に初期フィッティングデータ、少なくとも一つの中間フィッティングデータ、最終フィッティングデータが収納される調整値データ収納部とを備え、前記補聴処理部に切り替え入力部と、選択履歴情報部を接続すると共に、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成とした補聴器。
【請求項２】
前記補聴処理部は、前記切り替え入力部による前記調整値データ収納部の最終フィッティングデータへの切り替え後、所定期間、初期フィッティングデータ又は、中間フィッティングデータへの切り替えが所定期間不実施の場合、前記レシーバから、前記切り替え入力部による前記調整値データ収納部の切り替えを促す警報の発令を不実施とする、構成とした請求項１に記載の補聴器。
【請求項３】
前記補聴処理部は、前記切り替え入力部による前記調整値データ収納部の最終フィッティングデータへの切り替え後、この最終フィッティングデータから、中間フィッティングデータ又は初期フィッティングデータへの切り替えが実施された場合、前記レシーバから、再フィッティングを促す警報を、発する構成とした請求項１または２に記載の補聴器。
【請求項４】
前記中間フィッティングデータは、複数個設けられた請求項１から３のいずれか一つに記載の補聴器。
【発明の詳細な説明】
【技術分野】
【０００１】
本発明は、補聴器に関するものである。
【背景技術】
【０００２】
従来の補聴器は、マイクロフォンと、このマイクロフォンに接続された補聴処理部と、この補聴処理部に接続されたレシーバと、前記補聴処理部に接続されると共に初期フィッティングデータ、少なくとも一つの中間フィッティングデータ、最終フィッティングデータが収納される調整値データ収納部とを備えた構成となっていた（例えば下記特許文献１）。
【０００３】
すなわち、初期フィッティングを行う時に、調整値データ収納部内に初期フィッティングデータ、中間フィッティングデータ、最終フィッティングデータを収納させておき、補聴器の装着初期の所定期間は、初期フィッティングデータによる補聴処理を行い、この補聴器の装着が慣れるにしたがって中間フィッティングデータによる補聴処理を行い、最終的には、最終フィッティングデータによる補聴処理を行うようにしている。
【先行技術文献】
【特許文献】
【０００４】
【特許文献１】米国特許第６，８２９，３６３号明細書
【発明の概要】
【発明が解決しようとする課題】
【０００５】
上記従来例においては、補聴処理部における補聴処理が初期フィッティングデータから、中間フィッティングデータ、最終フィッティングデータに所定期間をおいて自動的に切り替わる構成となっている。つまり、補聴器を装着したときの違和感を低減させるために、まずは、初期フィッティングデータを用いた補聴処理を行い、次に中間フィッティングデータを用いた補聴処理を行い、その後最終フィッティングデータを用いた補聴処理を行うことにより、使用者の違和感を低減させるようにしているのである。
【０００６】
しかしながら、初期に設定した最終フィッティングデータがその使用者にとって、必ずしも適切でないことも多々有り、このように自動的にフィッティングデータが切り替わっていくことは必ずしも適切なものとならないことも有る。つまり、このような状況になると使用者は、非常に使い勝手の悪いものと認識してしまう。
【０００７】
そこで、本発明は、使用者の使い勝手をよくすることを目的とするものである。
【課題を解決するための手段】
【０００８】
そして、この目的を達成するために本発明は、マイクロフォンと、このマイクロフォンに接続された補聴処理部と、この補聴処理部に接続されたレシーバと、前記補聴処理部に接続されると共に初期フィッティングデータ、少なくとも一つの中間フィッティングデータ、最終フィッティングデータが収納される調整値データ収納部とを備え、前記補聴処理部に切り替え入力部と、選択履歴情報部を接続すると共に、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成とし、これにより所期の目的を達成するものである。
【発明の効果】
【０００９】
以上のように、本発明は、マイクロフォンと、このマイクロフォンに接続された補聴処理部と、この補聴処理部に接続されたレシーバと、前記補聴処理部に接続されると共に初期フィッティングデータ、少なくとも一つの中間フィッティングデータ、最終フィッティングデータが収納される調整値データ収納部とを備え、前記補聴処理部に切り替え入力部と、選択履歴情報部を接続すると共に、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成としたものであるので、極めて使い勝手の良いものとなる。
【００１０】
すなわち、本発明においては、前記補聴処理部に切り替え入力部と、選択履歴情報部を接続すると共に、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成としたものである。
【００１１】
このため、使用者は、自らの補聴器装着感に合わせて切り替え入力部によって初期フィッティングデータから中間フィッティングデータへの切り替え、又は、中間フィッティングデータから最終フィッティングデータへの切り替えを行い、そのデータに基づく補聴処理が成されるので、補聴器の装着感が高く、その結果として使い勝手の良いものとなるのである。
【００１２】
また、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成としたものであるので、フィッティングデータの切り替えも適切に実行されることとなり、この点からも使い勝手の良いものとなるのである。
【図面の簡単な説明】
【００１３】
【図１】本発明の実施の形態１における補聴器のフィッティング状態を説明する斜視図
【図２】同制御ブロック図
【図３】同フィッティングデータを示す図
【発明を実施するための形態】
【００１４】
以下、本発明の補聴器の一実施形態を図面とともに詳細に説明する。
【００１５】
（実施の形態１）
図１において、１は補聴器で、この補聴器１は使用者２の耳に装着され、その状態で接続ボックス３を介してフィッティング装置４に接続され、フィッティングが行われる。
【００１６】
５はフィッティング装置４の表示部で、さらに、このフィッティング装置４には入力部６が接続されている。
【００１７】
図１の構成において、補聴器１のフィッティングを行うときには、フィッティング装置４のスピーカー（図示せず）から音声出力を出し、それを図２に示した補聴器１のマイクロフォン７からＡ／Ｄコンバータ８、補聴処理部９、Ｄ／Ａコンバータ１０、レシーバ１１へと供給することで、使用者２の評価がされるものである。
【００１８】
本実施形態においては、使用者２の聴力に基づき、例えばＮＡＬ−ＮＬ１、ＤＳＬ、ＦＩＧ．６、ＩＨＡＦＦ等のよく知られたフィッティング理論に基づくパラメータを、補聴器１の補聴処理部９の初期フィッティングパラメータとして活用する。
【００１９】
そして、使用者２の評価によって図３（ｄ）に示す最終フィッティングデータが求められることとなる。また、この最終フィッティングデータによる補聴処理は、使用者２にとって、違和感を感ずるものとなるので、使用者２に補聴処理に基づく違和感を和らげるために、図３（ａ）に示す初期フィッティングデータと、図３（ｂ）（ｃ）に示す中間フィッティングデータが求められることとなり、これらの初期フィッティングデータ、中間フィッティングデータ、最終フィッティングデータは、補聴器１の図２に示す調整値データ収納部１２内に記憶させられることとなる。なお、最終フィッティングデータは、図３からも理解されるように、他のフィッティングデータに比べ、全ての周波数帯でレベルが最も高い状態となっている。また、初期フィッティングデータは、図３からも理解されるように、他のフィッティングデータに比べ、全ての周波数帯でレベルが最も低い状態となっている。さらに、図３（ｂ）（ｃ）に示す中間フィッティングデータは、全体としてのレベルは、最終フィッティングデータと初期フィッティングデータの間の状態ではあるが、使用者２の聴力や聴感によって調整されたものである。
【００２０】
図２を用いて説明を続けると、フィッティング装置４は、前記表示部５と入力部６が接続された制御部１３を有し、この制御部１３に調整値メモリ１４、調整値候補保持部１５、選択履歴情報部１６が接続されている。
【００２１】
また、接続ボックス３はフィッティング装置４の制御部１３と補聴器１の調整値データ収納部１２を接続した書き込み部１７と読み込み部１８を有する。
【００２２】
さらに、補聴器１は、補聴処理部９に接続された切り替え入力部１９と選択履歴情報部２０を有する。
【００２３】
以上の構成において、補聴器１の調整値データ収納部１２には図３（ａ）で示した初期フィッティングデータ、図３（ｂ）（ｃ）で示した中間フィッティングデータ、図３（ｄ）で示した最終フィッティングデータがフィッティング装置４の制御部１３から接続ボックス３を介して記憶させられる。
【００２４】
この時、使用者２の調整値データ収納部１２に書き込まれた初期フィッティングデータ、図３（ｂ）（ｃ）で示した中間フィッティングデータ、図３（ｄ）で示した最終フィッティングデータは、接続ボックス３の読み込み部１８を介してフィッティング装置４の制御部１３に読み込まれ、その使用者２に対するフィッティングデータとして調整値候補保持部１５に記憶させられた状態となっている。
【００２５】
さて、使用者２は、補聴器１を装着した状態で日常生活を送ることになるが、初期の例えば１ヶ月は、図３（ａ）に示す初期フィッティングデータに基づく補聴処理状態での補聴器１使用となる。つまり、補聴器１使用の慣らし状態とするのである。この一月間で、補聴器１の使用に対する違和感がなくなったと使用者２が感じた場合、自ら切り替え入力部１９を操作することになる。すると、補聴処理部９は、調整値データ収納部１２に収納された図３（ｂ）で示した中間フィッティングデータを読み出し、以降はこの中間フィッティングデータを用いたフィッティング処理が行われることとなる。
【００２６】
また、この図３（ｂ）で示した中間フィッティングデータに基づく、補聴器１の使用に対する違和感がなくなったと使用者２が感じた場合、自ら切り替え入力部１９を操作することになる。すると、補聴処理部９は、調整値データ収納部１２に収納された図３（ｃ）で示した中間フィッティングデータを読み出し、以降はこの中間フィッティングデータを用いたフィッティング処理が行われることとなる。
【００２７】
さらに、この図３（ｃ）で示した中間フィッティングデータに基づく、補聴器１の使用に対する違和感がなくなったと使用者２が感じた場合、自ら切り替え入力部１９を操作することになる。すると、補聴処理部９は、調整値データ収納部１２に収納された図３（ｄ）で示した最終フィッティングデータを読み出し、以降はこの最終フィッティングデータを用いたフィッティング処理が行われることとなる。
【００２８】
そして、このようなフィッティングデータの切り替え履歴は、選択履歴情報部２０に記録されることになる。
【００２９】
本実施形態において、特徴的なのは、図３（ａ）から（ｄ）までに示したフィッティングデータを、使用者２が自ら切り替え入力部１９を操作することで、切り替えることが出来るということである。つまり、使用者２の個人の感性に対応して、使用者２に違和感を与えることなく図３（ｄ）に示した最終フィッティングデータに到達させることが出来る機能を設けたものである。
【００３０】
しかし、このような機能を設けたにも関わらず、使用者２が適切に切り替えていかないこともあるので、例えば、図３（ａ）に示す初期フィッティングデータから図３（ｂ）に示す中間フィッティングデータへの切り替えが、例えば１ヶ月半も行われなかった場合には、補聴器１の補聴処理部９は、レシーバ１１に向けてフィッティングデータを切り替えさせるための警報を発することとなっている。例えば、「切り替え入力部を操作してフィッティングデータを切り替えてください」とアナウンスするようにしても良い。
【００３１】
続いて、図３（ｂ）に示す中間フィッティングデータの使用から、例えば、１ヶ月半たっても図３（ｃ）に示す中間フィッティングデータへの切り替えが行われなかった場合にも、補聴器１の補聴処理部９は、レシーバ１１に向けてフィッティングデータを切り替えさせるための警報を発することとなっている。例えば、「切り替え入力部を操作してフィッティングデータを切り替えてください」とアナウンスするようにしても良い。
【００３２】
さらに、図３（ｃ）に示す中間フィッティングデータの使用から、例えば、１ヶ月半たっても図３（ｄ）に示す最終フィッティングデータへの切り替えが行われなかった場合にも、補聴器１の補聴処理部９は、レシーバ１１に向けてフィッティングデータを切り替えさせるための警報を発することとなっている。例えば、「切り替え入力部を操作してフィッティングデータを切り替えてください」とアナウンスするようにしても良い。
【００３３】
なお、図３（ｄ）は、最終フィッティングデータであるので、この最終フィッティングデータが使用された状態になると、以降フィッティングデータを切り替えなくても警報が発せられることは無い。
【００３４】
逆に、図３（ｄ）に示す最終フィッティングデータを使用したにも関わらず、その後、図３（ａ）に示す初期フィッティングデータや、図３（ｂ）（ｃ）に示す中間フィッティングデータへの切り替えが行われた場合には、補聴器１の補聴処理部９は、そのような切り替えを選択履歴情報部２０から取得し、レシーバ１１に対して補聴器１のフィッティングを行った店舗などに再フィッティングを依頼する警報を発するようにしている。
【００３５】
この再フィッティングを依頼された店舗では、図２の状態において、フィッティングデータの切り替え状態を接続ボックス３の読み込み部１８を介して読み取り、それを選択履歴情報部１６に記憶させ、この切り替え履歴も参考に、再フィッティングが行われることになるのである。
【００３６】
本実施の形態では、フィッティングデータの切り替え期間を例えば１ヶ月半とし説明したが、年齢などのプロファイルや使用者２の要望に応じて、その期間を設定することが出来るようにすることも有効である。
【００３７】
さらに、警報を出す頻度に関し、その頻度が多いとなかなか再調整にいけないなどの場合にわずらわしさを感じる可能性がある。そこで、電源投入の回数にかかわらず一日一回までとするとか、日付の情報が無い場合は、電源投入数回に１回の頻度で警報をだすなどの方法が有効である。
【００３８】
また、警報を出すタイミングに関し、電源を入れてから所定の時間経過してから出力するなどの方法により、電源を入れてから補聴器を耳に装着するまでに掛かる時間を考慮することができ有効である。
【産業上の利用可能性】
【００３９】
以上のように本発明においては、前記補聴処理部に切り替え入力部と、選択履歴情報部を接続すると共に、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成としたものである。
【００４０】
このため、使用者は、自らの補聴器装着感に合わせて切り替え入力部によって初期フィッティングデータから中間フィッティングデータへの切り替え、又は、中間フィッティングデータから最終フィッティングデータへの切り替えを行い、そのデータに基づく補聴処理が成されるので、補聴器の装着感が高く、その結果として使い勝手の良いものとなるのである。
【００４１】
また、前記補聴処理部は、前記切り替え入力部による前記初期フィッティングデータから中間フィッティングデータへの切り替え、又は、中間フィッティングデータから最終フィッティングデータへの切り替えが所定期間不実施の場合、前記レシーバから、前記切り替え入力部による前記調整値データ収納部の切り替えを促す警報を、発する構成としたものであるので、フィッティングデータの切り替えも適切に実行されることとなり、この点からも使い勝手の良いものとなるのである。
【００４２】
したがって、補聴器としての活用が期待されるものとなる。
【符号の説明】
【００４３】
１  補聴器
２  使用者
３  接続ボックス
４  フィッティング装置
５  表示部
６  入力部
７  マイクロフォン
８  Ａ／Ｄコンバータ
９  補聴処理部
１０  Ｄ／Ａコンバータ
１１  レシーバ
１２  調整値データ収納部
１３  制御部
１４  調整値メモリ
１５  調整値候補保持部
１６  選択履歴情報部
１７  書き込み部
１８  読み込み部
１９  切り替え入力部
２０  選択履歴情報部
【図１】
0005747163.tif 000002
【図２】
0005747163.tif 000003
【図３】
0005747163.tif 000004